(57)【特許請求の範囲】
【請求項１】
昇降路のピットに設置されて、かごを吊持する主索が巻き掛けられたエレベータの巻上機の取付台において、上記ピットに立設された縦柱と、上記巻上機が固設された基台と、上記縦柱に係合して常時は上記基台を定位置に静止させ、要時に上記基台を上昇移動させる移動装置とを備えたエレベータの巻上機の取付台。
【請求項２】
縦柱を、側面にラックが形成された一対の長柱とし、基台を、巻上機に巻き掛けられた主索によって牽引されて上昇移動するものとし、移動装置を、上記基台に取り付けられて上記ラックと歯合して回動するピニオンと、常時は上記ピニオンを静止させて上記基台を定位置に静止させ、要時に開放されて上記ピニオンの静止を解いて回動させて上記基台を上昇移動させる制動機とからなるものとした請求項１に記載のエレベータの巻上機の取付台。
【請求項３】
縦柱を、側面にラックが形成された一対の長柱とし、移動装置を、基台に取り付けられて上記ラックと歯合して回動するピニオンと、このピニオンを駆動して上記基台を上昇移動させる電動機と、常時は上記ピニオンを制動して上記基台を定位置に静止させ、上記電動機による上記ピニオンの回動時に開放して上記基台の静止を解く制動機とからなるものとした請求項１に記載のエレベータの巻上機の取付台。
【請求項４】
移動装置を、ピットの水位を計測する水位計が所定の水位を検出したときに基台を上昇移動させるものとした請求項１に記載のエレベータの巻上機の取付台。
【請求項５】
移動装置を、人為操作によって発せられた信号によって基台を上昇移動させるものとした請求項１に記載のエレベータの巻上機の取付台。
【請求項６】
基台を、主索を巻き取る巻上機が固設されるものとした請求項１に記載のエレベータの巻上機の取付台。
【請求項７】
基台を、一方でかごを吊持し、他方でつり合おもりを吊持する主索の中間部が巻き掛けられ、上記主索との摩擦力によって上記かごを駆動する巻上機が固設されるものとした請求項１に記載のエレベータの巻上機の取付台。
【発明の詳細な説明】
【０００１】
【発明の属する技術分野】
この発明は、エレベータの昇降路のピットに設置された巻上機を上下に移動させる取付台に関する。
【０００２】
【従来の技術】
図１０は、従来のエレベータの昇降路１の縦断面図を示す。昇降路１のピット床３ａには、緩衝器３ｂが立設され、かご４が主索５に吊持されて１階１ｆから３階３ｆの間を昇降する。この主索５は、一端がかご４の頂部に取り付けられて昇降路１の天井に固設された吊車６及び吊車７に巻き掛けられてピット３まで立ち下がり、ピット床３ａに固設された取付台９に載置された巻上機８に巻き取られる。この巻上機８による主索５の巻取りによりかご４が昇降する。
巻上機８がピット３に設置される形式の上記エレベータは、昇降路１の頂部に機械室を設ける形式のものに比べて、建物の頂部が突出しないため、隣接地に対して日照を遮る程度が軽減されること、及び建物の外観が美的に優れること、等の利点を有する。
【０００３】
【発明が解決しようとする課題】
しかしながら、ピットは、通常地面下に穿設されるものであるから、防水処理が不十分な場合、又は、近くの河川が氾濫した場合に、浸水の可能性もある。このため、巻上機８がピット３に設置されるエレベータでは、巻上機８の冠水が危惧される。一旦冠水すると、巻上機８の制動トルクが低下して滑動し、かご４が下降するという問題があった。
また、冠水によって巻上機８や主索５に錆びが発生する。このため、巻上機８や主索５の取替えが必要となり、取替え期間中建物内の交通が阻害されるばかりでなく、多大な損失を招く、という問題点もあった。
【０００４】
この発明は上記問題点を解決するためになされたものであり、ピットに巻上機が設置されるエレベータにおいて、ピットが浸水した場合、巻上機を水面よりも上位まで上昇させて冠水を避けることを目的とする。
【０００５】
【課題を解決するための手段】
この発明に係る第１のエレベータの巻上機の取付台は、昇降路のピットに設けられた巻上機が設置される取付台であって、上記ピットに縦柱を立設し、上記巻上機を基台に固設し、上記縦柱に移動装置を係合させて常時は上記基台を定位置に静止させ、冠水時に上記基台を上昇移動させるようにしたものである。
【０００６】
また、この発明に係る第２のエレベータの巻上機の取付台は、第１のエレベータの巻上機の取付台において、縦柱を、側面にラックが形成された一対の長柱とし、基台を、巻上機に巻き掛けられた主索によって牽引されて上昇移動するものとし、移動装置を、上記基台に取り付けられて上記ラックと歯合して回動するピニオンと、常時は上記ピニオンを静止させて上記基台を定位置に静止させ、要時に開放されて上記ピニオンの静止を解いて回動させて上記基台を上記上昇移動させる制動機とから構成したものである。
【０００７】
更に、この発明に係る第３のエレベータの巻上機の取付台は、第１のエレベータの巻上機の取付台において、縦柱を、歯が刻まれたラックとし、移動装置を、基台に取り付けられて上記ラックと歯合して回動するピニオンと、このピニオンを回動させて上記基台を上下動させる電動機と、常時は上記ピニオンを静止させて上記基台を定位置に静止させ、上記電動機による上記ピニオンの回動時に開放されて上記基台の静止を解く制動機とから構成したものである。
【０００８】
更にまた、この発明に係る第４のエレベータの巻上機の取付台は、第１のエレベータの巻上機の取付台において、移動装置を、ピットの水位を計測する水位計が所定の水位を検出したときに基台を上昇移動させるようにしたものである。
【０００９】
更にまた、この発明に係る第５のエレベータの巻上機の取付台は、第１のエレベータの巻上機の取付台において、移動装置を、人為操作によって発せられた信号によって基台を上昇移動させるようにしたものである。
【００１０】
更にまた、この発明に係る第６のエレベータの巻上機の取付台は、第１のエレベータの巻上機の取付台において、基台を、主索を巻き取る巻上機が固設されるようにしたものである。
【００１１】
更にまた、この発明に係る第７のエレベータの巻上機の取付台は、第１のエレベータの巻上機の取付台において、基台を、一方でかごを吊持し、他方でつり合おもりを吊持する主索の中間部が巻き掛けられ、主索との摩擦力によって上記かごを駆動する巻上機が固設されるようにしたものである。
【００１２】
【発明の実施の形態】
実施の形態１．
図１から図７は、この発明の実施の形態１を示す。
図１から図６において、図１は、エレベータの昇降路の縦断面図を示す。図２は、図１のＩＩ−ＩＩ線の断面を図示矢印方向から見た図、図３は図２のＩＩＩ−ＩＩＩ線の断面を図示矢印方向から見た図、図４は図３のＩＶ−ＩＶ線の断面を図示矢印方向から見た図、図５は図４のＶ−Ｖ線の断面を図示矢印方向から見た図、図６は図４のＶＩ−ＶＩ線の断面を図示矢印方向から見た図である。
【００１３】
図中、１は昇降路、２は昇降路１の側壁、３はピット、３ａはピット床、３ｂはピット床３ａに立設された緩衝器、４はかご、５はかご４を吊持する主索、６は昇降路１の天井に取り付けられて主索５が巻き掛けられた吊車、７も同様の吊車、８は吊車７から立ち下げられた主索５を巻き取る巻上機、９は巻上機８が取り付けられた基台、１０はピット床３ａに立設された一方の縦柱で、断面がＴ字形をなし、一側面にラックが形成されている。１０ｈはピット床３ａに立設された他方の縦柱で、縦柱１０と同様に構成されて対峙する。１１は側壁２に取り付けられてピット３に浸水した水位を計測する水位計、２１は縦柱１０に案内されて基台９を上昇移動させる移動装置を示す。２１ｈは縦柱１０ｈに案内されて基台９を上昇移動させる他方の移動装置を示す。
【００１４】
移動装置２１は、基台９に立設された支柱に支持されて縦柱１０のラックと歯合して基台９を上下動させるピニオン２２と、下端が基台９に取り付けられて立設され、上端をピニオン２２に接触させて上昇回転を抑制する回転抑制具２３と、それぞれ上下にローラが配設されて縦柱１０の両側面を転動し、基台９が奥行方向に振れるのを制限するするローラガイド２４及び２５と、同様に構成されて縦柱１０の頂部を転動し、基台９が間口方向に振れるのを制限するローラガイド２６と、常時はピニオン２２の回転を止めて基台９を定位置に静止させ、要時に開放されてピニオン２２の静止を解いて回動させて基台９を上昇移動させる制動機２８からなる。
移動装置２１ｈも上記移動装置２１と同様に構成され、ピニオン２２ｈと、回転抑制具２３ｈと、ローラガイド２４ｈ、２５ｈ、２６ｈと、制動機２８ｈとからなる。
【００１５】
更に、制動機２８は、Ｌ字状に屈曲した金具の一端が基台９の下面に固設された支持台３０に軸支され、他端が基台９を貫通して基台９上に突出し、常時先端がピニオン２２の歯に当接してピニオン２２の回動を静止させる静止具２９と、この静止具２９を常時引き上げて静止具２９の先端をピニオン２２の歯に当接させている引きばね３１と、要時に付勢されて互いに反発し、引きばね３１の引上力に抗して静止具２９を押し下げて静止具２９の先端とピニオン２２の歯との当接を解く反発磁石３２ａ及び３２ｂとからなる。
制動機２８ｈも上記制動機２８と同様に構成されて、ピニオン２２ｈの静止と開放を制御する。
３９はローラガイド２４に当接して移動装置２１の上昇を制限するストッパである。３９ｈも同様に移動装置２１ｈの上昇を制限するストッパである。
【００１６】
次に動作について説明する。
ピット３に浸水がない場合、水位計１１からは検出信号が発せられておらず、基台９は図１に符号９ａで示すとおりピット床３ａ部分に位置し、巻上機８は同じく符号８ａで示すとおり基台９ａに取り付けられてピット床３ａ部分に位置している。
即ち、この状態では、図４において、制動機２８の静止具２９は引きばね３１によって引き上げられていて先端がピニオン２２の歯に当接しているので、ピニオン２２は静止している。このため、巻上機８は、図１に符号８ａで示すように基台９ａに取り付けられてピット床３ａ部に固定されている。
【００１７】
次に、ピット３が浸水し始めてピット床３ａ部分に固定された巻上機８ａの冠水危険レベルまで水位が上昇したとすると、水位計１１が作動して検出信号を発する。この検出信号が発せられると、まず、符号４ａで示すとおり、かご４は３階３ｆに停止する。その後戸閉した後、反発磁石３２ａと３２ｂが付勢されて互いに反発し、引きばね３１の引上力に抗して静止具２９を押し下げて静止具２９の先端とピニオン２２の歯との当接を解く。即ち、制動機２８はピニオン２２を回転可能な状態にする。同様に制動機２８ｈはピニオン２２ｈを回転可能な状態にする。
【００１８】
一方、主索５にはかご４の自重による張力が働いる。この実施の形態１では、上記かご４の自重は、巻上機８と基台９と移動装置２１及び２１ｈと制動機２８及び２８ｈの合計重量よりも大きいものとする。従って、制動機２８及び２８ｈがそれぞれピニオン２２及び２２ｈの静止を解いたことにより、ピニオン２２及び２２ｈは上昇方向へ回転し、巻上機８及び基台９は上昇する。
ピニオン２２が上昇方向へ回転すると、ピニオン２２の歯は回転抑制具２３に逐一当接する。この当接の都度、回転抑制具２３は、図４に符号２３ａで示したとおり撓む。この撓みによりピニオン２２の回転は抑制される。また、回転抑制具２３ｈも同様にピニオン２２ｈの歯に当接して回転を抑制する。このため、巻上機８は一定の低速度で上昇する。
【００１９】
ピット３が満水状態になったとき、水は１階１ｆ側へ溢れるので、水位は通常１階１ｆよりも上位となることは極めて稀である。従って、巻上機８が１階１ｆよりも上位まで上昇したとき、反発磁石３２ａ及び３２ｂは消勢され、静止具２９は引きばね３１に引かれて上昇し、先端をピニオン２２の歯に当接させてピニオン２２を停止させる。ピニオン２２ｈも同様に制動機２８ｈによって停止させられる。即ち、巻上機８は、図１に符号８ａで示す位置から符号８で示す位置まで上昇して停止する。この上昇に伴ってかご４は、図１に符号４ａで示す位置から符号４で示す位置まで下降して停止する。従って、かご４が下降しても緩衝機３ｂに着座することはない。
【００２０】
なお、上昇した巻上機８を復帰させるには、図７に示すとおり、棒状のハンドル３３をピニオン２２の側面に二箇所穿設されたハンドル取付孔２２ａに交互に差し込み、このハンドル３３を把持した後、反発磁石３２ａ及び３２ｂを付勢して制動機２８を開放させる。同様にして制動機２８ｈも開放させる。開放後手巻きでピニオン２２を逆回転させる。ピニオン２２ｈもピニオン２２に同期させて同様に逆回転させる。この逆回転により巻上機８は下降し、ピット床３ａ部分の正規の位置まで下降したならば、ハンドル３３を把持したまま停止させ、反発磁石３２ａ及び３２ｂを消勢して制動機２８を作用させ、ピニオン２２を静止させる。同様にして制動機２８ｈを作用させてピニオン２２ｈを静止させる。静止させたならばハンドル３３を抜脱することにより原状に復帰させることができる。また、上記実施の形態１では、ピット３内の水位を水位計１１で検出するようにしたが、人による目視によって上記水位を知得し、人為操作によって信号を発して基台を上昇移動させるようにしてもよい。
【００２１】
上記実施の形態１によれば、基台９は移動装置２１及び２１ｈによって上昇するようにしたので、巻上機８がピット床３ａ部分に設置されるものであって、そのピット３が浸水したとしても、巻上機８は水位よりも上位に移動して冠水を免れることが出来る。
特に、上記実施の形態１では、巻上機８及び基台９は、かご４の自重による張力により主索５に引き上げられて上昇するようにしたので、新たな動力原を必要としない。このため、簡易な構成とすることができる。
【００２２】
実施の形態２．
図８は、この発明の実施の形態２を示す。実施の形態１では、巻上機８は主索５に引き上げられて上昇し、ハンドル３３の操作によって下降するものとしたが、この実施の形態２では、巻上機８及び基台９は電動機４３を駆動原とする移動装置４０によって上下に移動するようにしたものである。
図において、移動台４０は、ピニオン２２を基台９に立設された支柱４１及び４２で軸支し、このピニオン２２の軸の一端に電動機４３とこの電動機４３の回転を減速する減速機４４を縦列に配設し、他端にピニオン２２の回転を静止する制動機４５を取り付けたものである。
【００２３】
即ち、常時はピット３には浸水がないので、巻上機８は基台９に取り付けられてピット床３ａ部分に位置している。
ピット３が浸水して巻上機８が冠水する危険レベルまで水位が上昇すると、制動機４５が開放されて電動機４３がピニオン２２を駆動して基台９を上昇させる。巻上機８が１階１ｆよりも上位まで上昇すると、電動機４３が停止し、同時に制動機４５が作動して基台９を所定位置に保持する。
なお、ピット３内が排水されて、上昇した巻上機８を復帰させるには、電動機４３を逆回転させてピット床３ａ部分まで基台９を下降させればよい。
【００２４】
上記実施の形態２によっても、ピット床３ａ部分に設置された巻上機８を冠水しないように保護することが出来る。
特に電動機４３によって基台９を上下動させるようにしたので、容易に巻上機８を上昇させ、また、下降させて原状に復帰させることができる。
【００２５】
実施の形態３．
図９は、実施の形態３を示す。上記実施の形態１では、巻上機８は主索５を巻き取るものとしたが、この実施の形態３では、主索との摩擦力によってかご４を駆動する巻上機の場合を示す。
図において、主索５の一方でかご４を吊持し、他方でつり合おもり５４を吊持するようにし、上記主索５の中間部を巻上機５１に巻き掛け、巻上機５１と主索５の摩擦力によってかご４を駆動する、いわゆるトラクション式の巻上機５１を使用したものである。
ピット３が浸水していない状態では、巻上機５１は９図に符号５１ａで、また、基台５２は符号５２ａで示すとおり、ピット床３ａ部分に位置している。
ピット３が浸水して巻上機５１が冠水する危険レベルまで水位が上昇すると、かご４を２階２ｆに停止させた後、移動装置２１を作動させて基台５２を上昇させる。巻上機５２が１階１ｆよりも上位まで上昇すると、移動装置２１を停止させて基台５２を所定位置に保持する。
【００２６】
図において、巻上機５１が符号５１ａで示す位置から符号５１で示す位置まで上昇したことにより、かご４は符号４ａの位置から符号４で示す位置まで下降し、また、つり合おもり５４は、符号５４ａの位置から符号５４で示す位置まで下降する。このように下降しても、かご４及びつり合おもり５４は、いずれも１階１ｆよりも上位にあり、従って、当然に緩衝器３ｂ及び３ｃとの間には十分な距離を残しており、着座することはない。
上記実施の形態３によれば、トラクション式の巻上機５１がピット床３ａ部分に設置された場合であっても、上記巻上機５１の冠水を回避することが出来る。
【００２７】
【発明の効果】
この発明は以上述べたとおり構成されているので、以下に示す効果を奏する。この発明に係る第１のエレベータの巻上機の取付台は、昇降路のピットに設けられた巻上機が設置される取付台であって、上記ピットに立設された縦柱と、上記巻上機が固設された基台と、上記縦柱に係合して常時は上記基台をピット床部分に静止させ、冠水時に上記基台を上昇移動させる移動装置とを備えたものである。
このため、ピットが浸水したとしても、巻上機は上昇移動して冠水を免れることができる、という効果を奏する。
【００２８】
この発明に係る第２のエレベータの巻上機の取付台は、第１のエレベータの巻上機の取付台において、縦柱を、側面にラックが形成された一対の長柱とし、基台を、巻上機に巻き掛けられた主索によって牽引されて上昇移動するものとし、移動装置を、上記基台に取り付けられて上記ラックと歯合して回動するピニオンと、常時は上記ピニオンを静止させて上記基台をピット床部分に静止させ、要時に開放されて上記ピニオンの静止を解いて回動させて上記基台を上昇移動させる制動機とから構成したものである。
このため、このものにあっても巻上機は冠水を免れることができると共に、巻上機及び基台は、主索に引き上げられて上昇するようにしたので、巻上機を上昇移動させるのに新たな駆動原を必要とせず、簡易な構成とすることができる、という効果を奏する。
【００２９】
この発明に係る第３のエレベータの巻上機の取付台は、第１のエレベータの巻上機の取付台において、縦柱を、側面にラックが形成された一対の長柱とし、移動装置を、基台に取り付けられて上記ラックと歯合して回動するピニオンと、このピニオンを回動させて上記基台を上下動させる電動機と、常時は上記ピニオンを静止させて上記基台を定位置に静止させ、上記電動機による上記ピニオンの回動時に開放されて上記基台の静止を解く制動機とから構成したものである。
このため、このものにあっても巻上機は冠水を免れることができると共に、電動機によって基台を上下動させるようにしたので、容易に巻上機を上昇させ、また、下降させて原状に復帰させることができる、という効果を奏する。
【００３０】
この発明に係る第４のエレベータの巻上機の取付台は、第１のエレベータの巻上機の取付台において、移動装置を、ピットの水位を計測する水位計が所定の水位を検出したときに基台を上昇移動させるようにしたものである。
このため、ピットの浸水を点検する必要がなく、係員の負担を軽減できる、という効果を奏する。
【００３１】
この発明に係る第５のエレベータの巻上機の取付台は、第１のエレベータの巻上機の取付台において、移動装置を、人為操作によって発せられた信号によって基台を上昇移動させるようにしたものである。
このため、使用機器が少なくなり、機器の点検作業が軽減される、という効果を奏する。
【００３２】
この発明に係る第６のエレベータの巻上機の取付台は、第１のエレベータの巻上機の取付台において、主索を巻き取る巻上機が基台に固設されるとしたものである。
このため、いわゆる巻取り式の巻上機であっても、同様に冠水を免れることができる、という効果を奏する。
【００３３】
この発明に係る第７のエレベータの巻上機の取付台は、第１のエレベータの巻上機の取付台において、摩擦力によって上記かごを駆動する巻上機が固設されるようにしたものである。
このため、いわゆるトラクション式の巻上機であっても、同様に冠水を免れることができる、という効果を奏する。
【図面の簡単な説明】
【図１】この発明の実施の形態１を示すエレベータの昇降路の縦断面図。
【図２】図１のＩＩ−ＩＩ線の断面を図示矢印方向から見た断面図。
【図３】図２のＩＩＩ−ＩＩＩ線の断面を図示矢印方向から見た断面図。
【図４】図３のＩＶ−ＩＶ線の断面を図示矢印方向から見た断面図。
【図５】図４のＶ−Ｖ線の断面を図示矢印方向から見た断面図。
【図６】図４のＶＩ−ＶＩ線の断面を図示矢印方向から見た断面図。
【図７】実施の形態１におけるハンドル３３の側面図。
【図８】この発明の実施の形態２を示す図５相当図。
【図９】この発明の実施の形態３を示すエレベータの昇降路の縦断面図。
【図１０】従来のエレベータの昇降路の縦断面図。
【符号の説明】
１  昇降路、  ２  側壁、  ３  ピット、  ３ａ  ピット床、  ３ｂ  緩衝器、  ３ｃ  緩衝器、  １ｆ  １階、  ２ｆ  ２階、  ３ｆ  ３階、  ４  かご、４ａ  かご、  ５  主索、  ６  滑車、  ７  滑車、  ８  巻上機、  ８ａ  巻上機、  ９  基台、  ９ａ  基台、  １０  縦柱、  １０ｈ  縦柱、  １１  水位計、  ２１  移動装置、  ２１ｈ  移動装置、２２  ピニオン、  ２２ａ  ハンドル取付孔、  ２２ｈ  ピニオン、  ２３  回転抑制具、  ２３ｈ  回転抑制具、  ２４  ローラガイド、  ２５  ローラガイド、  ２６  ローラガイド、２４ｈ  ローラガイド、  ２５ｈ  ローラガイド、  ２６ｈ  ローラガイド、２８  制動機、  ２８ｈ  制動機、  ２９  静止具、  ２９ａ  静止具、  ３０  支持台、  ３１  引きばね、  ３２ａ  反発磁石、  ３２ｂ  反発磁石、  ３３  ハンドル、  ３９  ストッパ、  ３９ｈ  ストッパ、  ４０  移動装置、４１  支柱、  ４２  支柱、  ４３  電動機、  ４４  減速機、  ４５  制動機、  ５１  巻上機、  ５１ａ  巻上機、  ５２  基台、  ５２ａ  基台、  ５３  滑車、  ５４  つり合おもり。
【図１】
0003627134.tif 000002
【図２】
0003627134.tif 000003
【図３】
0003627134.tif 000004
【図４】
0003627134.tif 000005
【図５】
0003627134.tif 000006
【図６】
0003627134.tif 000007
【図７】
0003627134.tif 000008
【図８】
0003627134.tif 000009
【図９】
0003627134.tif 000010
【図１０】
0003627134.tif 000011